(57)【要約】
【課題】外観上、靴かかとの形状を変えずに、かかとの摩滅部を移動させることで摩滅し易い箇所へ素早く、新しいかかとと変換させる。かかと面を全面均一に摩滅させることで経費と補修時間のムダを省き、靴のかかとを長期使用する構造とする。
【解決手段】回転かかとを固定かかとで囲い、この組み合わせたかかとを靴かかとへ１体として取り付ける。回転かかとは使用時はネジで固定する。固定かかとの後部側を少し高くすることで回転かかとの摩滅だけで済み、固定かかとに摩滅の影響は及ばない。回転かかとの摩滅部分を前側、斜め前、又は内側へと適宜に位置を回転移動し、かかと面を全面均一させることで靴かかとの長期使用が可能となる。
【選択図】  図１
0003101098.tif 000002
【実用新案登録請求の範囲】
【請求項１】
回転かかと（１）と、この回転かかとの下面以外を囲う固定かかと（２）を組み合わせ、回転かかとは水平回転をする構造で靴や履物に装着、取り付けることを特徴とする。
【請求項２】
回転かかと（１）と、この回転かかとの下面以外を囲う靴本体かかとを組み合わせ、靴や履物と一体となったもので回転かかとは水平回転をする構造を特徴とする靴や履物
【考案の詳細な説明】
【技術分野】
【０００１】  本考案は、回転かかとと固定かかとを組み合わせて靴等へ装着、取り付けて使用するもの又は、靴や履物本体かかとの中に回転かかとが組み込まれたもので、両方とも回転かかとが水平回転できる構造で、回転かかとが摩耗又は、擦り減ったとき、その部分面を速やかに、かつ容易に他の位置へ移動させて新しい部分面と即座に変換させるものである。
【背景技術】
【０００２】  従来、靴や履物のかかとが摩耗、又は、擦り減ったとき（以後、摩滅と呼ぶ）かかと補修材として、かかと全部を交換するものと、他には摩滅部分に直接取り付ける修理キットを利用するもの、又はゴム剤を盛り付けての接着が実用として利用に共されている。【０００３】  上記において、かかとは交換後、次回更にかかとが摩滅したとき、たとえ左右の靴と交互にかかとを付け替えても、当然、後部側のみが摩滅で、徐々に厚みが失われ気になってくるため、再使用するにも限度があった。補修用の修理キットは、摩滅した部分、面を清掃し、キットの紙を剥がして貼り付け、さらに小さなクギを打ち込み取り付けるが、クギ用の凹穴が名目上だけで浅くクギの頭が少し出ている状態になる。このため、クギの頭が摩滅すると直ぐに外れることがよくあった。ゴム剤においては、盛り付け接着と仕上げに若干の技術要領を要し、更に乾燥するまでに時間が掛かるのが欠点でもあった。【０００４】  上記の各用途は摩滅に対して、それなりに対処可能であるが、摩滅の都度、事前に物の準備をしておく必要もあり、そのための時間の浪費にもなる。また、これらはかかとを新たに付け替えたり、補修しても、それは一時的な満足に過ぎず、再々の補修は経費と時間のムダであり問題である。また補修等は若干面倒でもあり、かかと以外は良好であるが、もう靴自体を廃棄処分して新しい靴を買い求めようかと考えるようになる。これは勿体ない話しである。
【考案の開示】
【考案が解決しようとする課題】
【０００５】  解決しようとする課題、問題点は、かかとが摩滅した場合に要する経費と時間の浪費であった。解決策として摩滅した部分を直接に補修などしないで、その部分を回転させて、他に移し新しい、かかと面を摩滅し易い個所に移すことで課題、問題点は解決する。
【課題を解決するための手段】
【０００６】  本考案は、図１、図２記載のように、回転かかとの下面以外を固定かかとで囲い組み合わせ、この回転かかとを円盤状とし、これを水平回転させることで解決する
【考案の効果】
【０００７】  水平回転する回転かかとは、使用中は、靴本体かかとに固定し、摩滅したときネジを外して回転させることで摩滅した部分面を、外観上容易に見え難い部分、つまり前側、斜め前、又は内側へと好きな部分へ移動させることにより、水平回転の効果で必然的に摩滅していない部分が、後部側の摩滅し易い個所へと即座に変換できる。操作は極めて簡単であり、しかもドライバーと、千枚通しだけで容易に行う事ができる効果がある。【０００８】  回転かかと以外の部分が使用不可になるまでは、回転かかとの水平回転で摩滅した部分を全面均一になるよう位置を変換するだけで、従来の交換かかとの数倍にも耐用年数は延長されるため、必然的に靴も永く使用可能になるので経済的である。【０００９】  回転かかとが全般にわたり均一に約１．５ｍｍくらい摩滅したころ、未だ、回転かかと以外の部分が使用可能状態のときは、回転かかとの上側面に、厚さ約２ｍｍ以内のゴ厶板、又は厚紙などのライナーを入れることで、回転かかとの性能は、再び蘇るため、靴や履物の長期間の使用が可能になる。また、組み合わせたものを、靴に装着した回転かかとについては、ライナーを入れるだけで、他の靴や履物にも転用、又は再利用できる効果も生まれた。【００１０】  図１、図２に示すように回転かかとの下面以外を囲う固定かかとは、特別に視線を下げない限り通常の靴等と外観上は何ら変わらない。回転かかとを内部で水平に回転させるだけの簡単な構造であり、回転かかとの摩滅部分を分散させることで直接補修はしなくても新しいかかとに素早く変換できるので経費も時間も掛からない効果がる。
【考案を実施するための最良の形態】
【００１１】  図１記載のように、回転かかとの中心に凹穴１個と周囲に９個の凹穴を設けると共に固定かかとの前側にも２個の凹穴を設け。深さは、いずれも約５ｍｍくらいとし、それぞれの凹穴の中心に小さな貫通した直径、約２ｍｍくらいの穴を開ける。なお、靴、履物本体と一体のかかとには凹穴は設けても貫通小穴は必要ない。【００１２】  図２記載のように回転かかとの厚みは、約８ｍｍくらいであって、組み合わせた固定かかとの厚みは、約２ｍｍくらいが望ましい。【００１３】  図２記載のように固定かかとは、前側から後部側にかけて、僅かな勾配を付け最後部を接地面から約３ｍｍ以上高くしておくのが最良である。そうする事で回転かかとのみの摩滅で済むので、固定かかとに何らの影響は及ばない。なお、靴等一体のかかとの後部側の高さは前者と同一数値であるのが最良である。【００１４】  図１記載のように回転かかとの下面を以外を囲う固定かかとの周囲の厚みは、回転かかとの左右付近から、後部側に掛けて僅かずつ薄くなって、最後部において約２ｍｍくらいとするのが望ましい。そうする事で回転かかとのみの摩滅だけで済む。後部側の囲いが薄いほど固定かかとに影響は及ばない。【００１５】  図３記載のように固定かかとに、時計の文字盤のように、１２個ずつ、計２４個の貫通した小穴を回転かかとの凹穴の位置に合致させて設ける。そうすることで最初に取り付けるとき、靴や履物本体かかとにネジが容易に入りやすくなり、角度で３０°毎に変化させることが可能となる。靴等本体かかとへのネジ穴合わせの方法は実施例４に記載している【００１６】  請求項１記載の回転かかとと固定かかとの組み合わせたものは極力、靴や履物の新しいものに装着、取り付けるのが最良である。
【実施例１】
【００１７】  請求項１と図１記載の回転かかとと固定かかとを組み合わせて、最初に靴や履物に装着、取り付ける時は、先の尖った木ネジ等を使用し、回転かかとの凹穴の外周６個と中心の１個、そして固定かかとの２個のネジが図３記載の固定かかとも貫通し、上側面から先端が少し出たところで靴等本体の後部と側面とを合致させ、その位置で凹穴、小穴を利用して本体かかとにを千枚通しで突き差し、その小穴痕跡にネジ先端を差し込みドライバーで締め付け取り付ける。
【実施例２】
【００１８】  回転かかとが約１．５ｍｍくらい摩滅したとき、回転かかとのネジを外す。言い替えるなら靴本体かかと、又は固定かかとの後部底面が摩滅寸前になったときを目安として回転かかとを操作すれば良い。そして、摩滅した部分を前側、斜め前、又は内側へと好きな部分へ移動させることで、摩滅していない部分は、水平回転により後部側へと直結移動するので、凹穴、小穴から千枚通し等の先の尖ったもので軽く差し込み固定かかとの小穴の深さ、違いを中心小穴と比較し深さが同一であれば合致した事になる。直ぐに回転かかとのネジを締め付ける。これで角度で３０°毎の変換ができる。この際、固定かかとの２本のネジには触れる必要はないけれど、ネジが弛んでいないかの確認はしておく。
【実施例３】
【００１９】  図１に示すように回転かかとの凹穴は１０個であるが、請求項２記載の靴や履物の本体かかとが一体の場合は、回転かかとの外周の凹穴６個のうちの半分の３個と内周の凹穴３個とを正３角形と逆３角形状に使用するのがバランスもとれて良い。請求項１記載の回転かかとと固定かかとを組み合わせたものを靴本体へ装着、取り付けるときは、靴等本体かかとと固定かかととの接続する面を特に外観上、自然な密着状態とする意味からも回転かかとの外周の凹穴をネジ６本で締め付けるのが良い。いずれも他の３個の凹穴を使用しないときは滑り止めとして活用すれば良い。
【実施例４】
【００２０】  請求項２記載の靴本体と、かかとが一体の場合での回転かかとの摩滅変換後のネジ穴、合わせの方法は、最初から回転かかとが組み込まれているため、摩滅時ネジを外し、位置を変えて、凹穴、小穴に千枚通し等の先の尖ったもので軽く差し込み、ネジ穴痕跡の深さの違いを中心小穴と比較し深さが同一であれば穴の位置は合致しているので、元の凹穴にネジを入れ締める。これで角度で３０°毎の変換ができる。
【実施例５】
【００２１】  回転かかとが全面摩滅しても、かかと以外は、未だ使用可能であるとき、回転かかとの背面に厚さ、約２ｍｍ以下のゴム板、又は厚紙等のライナーを入れることで再使用もできる。
【産業上の利用可能性】
【００２２】  請求項２記載の靴本体と一体になっているかかとと回転かかとの組み合わされた分については通勤、通学靴、その他の履物にも利用する価値はあると思う。より高さのある靴等を求める場合、又は、かかとの補修が面倒な者、補修に時間を惜しむ者は通常の靴に請求項１記載の組み合わされている回転かかとを装着、取り付けることで問題は解決されるのので、こちらも利用する価値はあると思う。ただし、ハイヒールや、激しい運動靴等は、より高くなるので転倒の恐れもあり利用されないと思う。【００２３】  特に初対面で人を見るとき、人物像を概略把握するために、足元の方にも自然と目を向けることはある。身だしなみ一つで人格を疑われることにもなりかねないので、誰しも靴等のかかとの摩滅は服装と共に、特に気に掛かるところでもある。通常、かかとは後部側から自然に摩滅するので、本考案の回転かかとは、少しの摩滅も、これを固定かかと下縁の直線で補い、相手が目線を特別に深く下げない限り、靴、履物も、きちんとしていると見る。この回転かかとを利用することで、かかとの磨減対策は、ドライバー１本と千枚通しだけで、より容易に速やかに解決できるので利用者は多いと思われる
【図面の簡単な説明】
【００２４】
【図１】  回転かかとと固定かかとを組み合わせた下面図である。
【図２】  回転かかとと固定かかとを組み合わせた側面図である。
【図３】  固定かかとの上側平面図である。
【符号の説明】
【００２５】  １  回転かかと
２  固定かかと
３  凹穴
４  貫通小穴
【図１】
0003101098.tif 000003
【図２】
0003101098.tif 000004
【図３】
0003101098.tif 000005
【手続補正書】
【提出日】平成15年9月24日(2003.9.24)
【手続補正１】
【補正対象書類名】図面
【補正対象項目名】図１
【補正方法】変更
【補正の内容】
【図１】
0003101098.tif 000006
【手続補正書】
【提出日】平成15年9月25日(2003.9.25)
【手続補正２】
【補正対象書類名】図面
【補正対象項目名】全図
【補正方法】変更
【補正の内容】
0003101098.tif 000007
【手続補正書】
【提出日】平成15年10月20日(2003.10.20)
【手続補正１】
【補正対象書類名】実用新案登録請求の範囲
【補正対象項目名】全文
【補正方法】変更
【補正の内容】
【実用新案登録請求の範囲】
【請求項１】
回転かかと（１）と、この回転かかとを囲う固定かかと（２）に多数の貫通小穴（５）形成し、回転かかとと組み合わせた構造のものを靴かかと（３）に１体としてネジで取り付けてある状態を特徴とする靴のかかと。
【請求項２】
回転かかと（１）と、この回転かかと固定かかと（２）に多数の貫通小穴（５）を形成し、回転かかとと組み合わせた構造で、靴かかと（３）にネジで取り付けることを特徴とする靴のかかと。
【手続補正２】
【補正対象書類名】明細書
【補正対象項目名】全文
【補正方法】変更
【補正の内容】
【考案の詳細な説明】
【技術分野】
【０００１】  本考案は、厚みのある円盤状の回転かかと（１）を固定かかと（２）に多数の貫通小穴（５）を設け、回転かかとを囲い組み合わせたものを靴かかと（３）に一体としてネジで取り付けたものであるのと、請求項２のように、この組み合わされている回転かかとと固定かかとを靴かかとへネジで取り付ける構造としたものに関するものである。
【背景技術】
【０００２】  従来、靴や履物のかかとが磨耗、又は磨り減ったとき（以後、摩滅と呼ぶ）かかと補修材として、かかと全部をを交換するものと、他には摩滅部分に直接取り付ける修理キットを使用するもの、又は、ゴム剤を盛り付けて接着が実用として利用に共されている。【０００３】  上記において、かかとは交換後、次回更にかかとが摩滅したとき、たとえ左右のと交互に付け換えても、当然、かかとの後部側のみが摩滅して、徐々にかかとの厚みが失われてくるので、再使用するのに限度があった。【０００４】  かかとの修理キットは、摩滅部分を清掃し、キットの紙を剥がして貼り付けて、更に小さなクギを打ち込み取り付けるが、クギ用の凹穴が名目上だけのもので浅いため、クギの頭が少し出ている状態になる。そのため、クギの躓が直ぐ摩滅しキットが外れることがよくあった。ゴム剤については、盛り付け接着と仕上げに若千の技術を要し、更に乾燥するまでに時間が掛かるのが欠点でもあった。【０００５】  上記の各用途は摩滅に対して、それなりに対処可能であるが、摩滅の都度、事前に物の凖備をしておく必要もあり、そのための時間の浪費にもなる。また、これらは、かかとを新しく付け替えたり修理しても、それは一時的な満足に過ぎず再三の補修は経費と時間のムダであり問題でもある。それと補修等は若干面倒でもあり、かかと以外は良好であるが、もう靴自体を廃棄処分し新しい靴を買い求めようかと考える。これは勿体ない話である。
【考案の開示】
【考案が解決しようとする課題】
【０００６】  課題は、靴のかかとが摩滅した場合に要する経費と時間の浪費であった。解決策として、摩滅した部分を直接、修理などしなくて、その部分面を移動回転することで直ちに、かかとの新しい面を摩滅し易い箇所に変換可能させる事で課題は解決できる。
【課題を解決するための手段】
【０００７】  本考案は、図１、図２記載のように回転かかとを固定かかとで囲う構造として固定かかとを後側に移行して少し高くいる状態として、回転かかとと共にをネジで靴本体かかとへ取り付けることで課題を解決する。
【考案の効果】
【０００８】  本考案は外観上、靴かかと形状は変えずに、摩滅する回転かかとは固定かかと及び靴かかとで固定し摩滅したとき、ネジを外して回転させることで、摩滅した部分面を外観上容易に見え難い部分へと回転移動させるだけで即座に新しい面が摩滅し易い箇所へ位置変換できる。また、靴のかかと形状は特に変わらないので、組み込まれたものを取り外して、他の通常の靴にも転用できる特性効果も生じた。【０００９】  回転かかと以外が使用不可になるまでは、回転かかとで摩滅した部分を全面均一に摩滅するまで位置を変換するだけで従来の、かかとの数倍にも使用できることにより、必然的に靴の耐用年数も延びるので経済的である。【００１０】  回転かかとが全面均一に約２ｍｍくらい摩滅したころで、なお未だ、靴全体の保存状態が良好であるときは、回転かかとの上面へ、厚さ約２ｍｍくらいのゴム板、又は厚紙等を入れることにより回転かかとの性能は再び蘇る。このため靴の長期間使用が可能になるので靴を処分したりする必要はなく経済的である。
【考案を実施するための最良の形態】
【００１１】  図１、図２、図３に示すように回転かかと（１）の中心に凹穴（４）、その周囲に６個の凹穴（４）を設けると共に固定かかとの前側に２個の凹穴（４）を設ける。いずれの凹穴も直径約６〜７ｍｍくらい、深さは約５〜６ｍｍくらいであって、さらに、この凹穴の中心に直径で約３ｍｍくらいの貫通小穴（５）を設けることで靴かかとへの取り付けが容易になる。【００１２】  図３に示すように回転かかとを囲う固定かかとの周囲の厚みは、回転かかとの左右付近から後部側に掛けて約２ｍｍくらいとするのが望ましい。【００１３】  図２に示すように固定かかとは前部から後部にかけて僅かな勾配で後部側を高くして回転かかとの後部側より、約５ｍｍ以上高くするのが望ましい。そうする事で回転かかとのみの摩滅だけで済む。固定かかとの後部側を高くするほど、また、後部側囲いを薄くするほど固定かかとに影響は及ばない。また、回転かかとを囲う固定かかとは、平の面での厚みは約２ｍｍくらいとするのが望ましい。【００１４】  図３に示すように固定かかとの前側に２個の凹穴（４）と、回転かかとが接触する面に、回転かかとの凹穴の位置に適合し、時計の２４時間、文字盤のように、中心にｌ値と周囲に２４個の直径、約３ｍｍくらいの貫通小穴（５）を設ける。この場合、回転かかとの凹穴は中心を含め計７個であるが、固定かかとの回転かかとと接する面は、中心を含め２５個の貫通小穴があるので、これで角度で１５°単位で位置変換できる。また、固定かかとの貫通小穴を半分の１２個だけにすると、当然のことながら角度で３０°毎だけの位置変換となる。【００１５】  靴本体かかとにも上記００１４項に準じて、計２７個、又は１５個の円錐形状の凹小穴を設けるのが望ましい。この凹小穴の円錐形状は直径は約１．５ｍｍで深さ約５．６ｍｍくらいが望ましい。そうすることでネジは極めて入り易くなる。もし、このような凹小穴が設けて無い場合は、固定かかとの貫通小穴からキリで深さ５．６ｍｍくらいの凹穴を開き小穴傷痕跡を付けることで入り易くなる。【００１６】  図２に示すように回転かかとの厚みは、約８ｍｍくらいが望ましい。
【実施例１】
【００１７】  請求項１の、回転かかとと固定かかとの組み込まれたものが、すでに靴へ一体として取り付けてある場合において、回転かかとが約１．６ｍｍくらい摩滅したとき、回転かかとのネジを外す。そして摩滅した部分を前側、斜め前側、又は内側へと好きな部分へと移動させることで、摩滅していない部分は回転効果により、後部側へと直結移動するので、キリ又は、千枚通しの尖ったもので軽く差し、中心の凹穴と他の凹穴との深さの違いで判断し深さが同一になろより少し位置を変え、合致したときネジは３本以上入れ締める。３本のときは正３角形にするのが、バランス的にも良い。４本で締めるときは対角線にするのが、ピシッと締まる。これで角度で１５°、３０°、又は、４５°毎の変更ができる。どうしても定めた角度は嫌で、任意の位置で止めるときは固定かかとに、キリで貫通小穴を数箇所開ける。任意の位置で止めるこは利点ではあるが、逆に欠点が無いとは云い切れない面もある。
【実施例２】
【００１８】  請求項２の回転かかとと固定かかとの組み込まれたものを、最初に通常の靴かかとへ取り付ける場合は極力、新しい靴へ取り付けるのが望ましい。中古の靴へ取り付ける場合は、かかと面をカンナ等で削り、平にすると隙間が生じなくて見た目にも良く継ぎ目が目立たない。固定かかと貫通小穴から、先の尖った、キリで、靴かかとへ突き差し２．３回転し、深さ約５〜６ｍｍくらいの小穴痕跡を付けることでネジは入り易くなるので、回転かかと面は４本以上のネジで締め付け、靴かかとと固定かかとの接続面をビシッと隙間の無いように取り付ける。
【実施例３】
【００１９】  回転かかとが全面均一に約２ｍｍくらい摩滅して、なおかつ、かかと以外は未だ使用可能であるときは回転かかとの背面に厚さ、約２ｍｍくらいのゴム板、又は厚紙等のライナーを入れることで、さらに長期使用可能になる。
【実施例４】
【００２０】  通常の靴かかとへ請求項２の組み合わせた、かかとを取り付けるときは、固定かかを靴かかとに合わせ、固定かかとの前側にある２本の凹穴ヘネジを入れて、しっかり締め付け固定後に、２５個全部の貫通小穴を利用して、その位置で靴かかとへ、キリを突き刺し２〜９回転させて、深さ約５．６ｍｍの小穴傷痕跡を付けることで、次回からのかかと摩滅時処置は速やかにできるようになる。
【産業上の利用可能性】
【００２１】  本考案のかかとは、外観上からは従来のかかと形状と殆ど変わらず、かかとの摩滅時の操作処置も、回転かかとを少しの移動させるだけの簡単なため、かかとの補修にムダな経費と時間を使わないためにも通勤、通学靴等に回転かかとの付いたものを使用する価値はあると思う。また、通常の靴をより高くしたいときは、請求項２の、組み合わせたものを靴かかとに取り付けることによって約１０ｍｍくらい高くなるので利用されると思う。ただし、ハイヒールや激しい運動靴等はより高くなるので転倒の恐れもあるので利用されないと思う。【００２２】  特に初対面で人を見るとき、人物像を概略把握するためにも、足元の方にも自然と目を向けることはある。身だしなみ一つで人格を疑われることにもなりかねないので、誰しも靴のかかとの摩滅は服装と共に、特に気に掛かるところでもある。本考案の靴かかとの利用することで、早めのかかと処理ができるのでこの人は靴も、きちんとしていると見る。また、製造側からは何よりも、靴本体のかかとの形状、構造を特に変えなくても、回転かかとと固定かかとを組み合わせたものを製造することで、靴かかとへ取り付けて一体とするか、しないか両方に利用できる特性を備えているので便利と思う。
【図面の簡単な説明】
【００２３】
【図１】回転かかとと固定かかとを組み、靴かかとへ取り付けた斜視図である。
【図２】回転かかとと固定かかとを組み合わせた側面図である。
【図３】固定かかとの下面図である。
【符号の説明】
【００２４】        １  回転かかと
２  固定かかと
３  靴かかと
４  凹穴
５  貫通小穴
６  ネジ
【手続補正３】
【補正対象書類名】図面
【補正対象項目名】全図
【補正方法】変更
【補正の内容】
【図１】
0003101098.tif 000008
【図２】
0003101098.tif 000009
【図３】
0003101098.tif 000010
【手続補正書】
【提出日】平成15年10月27日(2003.10.27)
【手続補正１】
【補正対象書類名】明細書
【補正対象項目名】０００９
【補正方法】変更
【補正の内容】
【０００９】  図４に示すように回転かかとの上側へ６個の突起を設けているので、固定かかとへの穴合わせが容易であるのと、たとえ、ネジが中央の１本だけであっても突起がストッパーの役目も兼ねているので、より強く回転防止の抑止効果も生まれた。
【手続補正２】
【補正対象書類名】明細書
【補正対象項目名】００１０
【補正方法】変更
【補正の内容】
【００１０】  回転かかとが全面均一に約１．５ｍｍくらい摩滅したころ、まだ回転かかと以外は使用可能状態のときは、回転かかとの上側面に厚さ、約１ｍｍくらいのゴ厶板、又は厚紙などのライナーを入れる事で回転かかとの性能は蘇るので靴の長期使用が可能になるので靴を処分したりする必要はなく経済的である。最終的には取り外して他の靴にも転用、再利用できるのと、取り外した靴かかとも新しい物になる。
【手続補正３】
【補正対象書類名】明細書
【補正対象項目名】００１６
【補正方法】変更
【補正の内容】
【００１６】  回転かかとの厚みは、約８ｍｍくらいで外周側面と固定かかとの内周面との隙間は、直径差で約１．５ｍｍくらいが望ましい。図４に示すように回転かかとの上側面に６個の小さな突起（７）を貫通小穴の間に交互に設け、突起の直径は約２ｍｍ、高さも約２ｍｍの円柱で先端は球状とするのが望ましい。そうすることで固定かかとの貫通小穴へ入り易い。
【手続補正４】
【補正対象書類名】明細書
【補正対象項目名】００１７
【補正方法】変更
【補正の内容】
【００１７】  請求項１の、回転かかとと固定かかとの組み込まれたものが、すでに靴へ一体として取り付けてある場合において、回転かかとが約１．５ｍｍくらい摩滅したとき、回転かかとのネジを外す。かかとを下側にして回転かかとの下角部分を掴み、３ｍｍ以上、引き出してから、摩滅した部分を前側、斜め前側へと回転移動させ、適宜の位置で少し移動、ずらしながら軽く押し込むよう操作すると回転かかとの突起が固定かかとの貫通小穴へ自然に入る。この小穴へ嵌る深さの感触を得たならネジを入れ、取り付ける。ネジは３本以上使用するのがよい。３本のときは正３角形にするのがバランス的にもよい。これで角度で１５°、３０°又は４５°毎の変更ができる。何かの理由で回転かかとの突起が脱落、又は喪失して無い場合の穴合わせは、シャーペンシル等の先の尖ったものを軽く入れ、回転かかとの中心凹穴と周囲の凹穴の深さとを比較し同一であればネジを入れ取り付ける。もし、どうしても定めた角度は嫌で好きな位置に留めたいときの方法例としては、凹穴から固定かかとの好きな位置にキリで数個の穴を開けと共に突起は全部除去する必要がある。任意の位置で固定することは利点ではあるけれど、次回に位置変えするときネジ穴が僅かに、ずれて前のネジ穴と共に変形、又は損傷するかも知れないなど欠点が無いとは云えない面もあるので、この方法実施例は極力しない方がよいと思う。
【手続補正５】
【補正対象書類名】明細書
【補正対象項目名】００１８
【補正方法】変更
【補正の内容】
【００１８】  請求項２の回転かかとと固定かかとの組み込まれたものを最初に通常の靴かかとへ取り付ける場合は、極力新しい靴へ取り付けるのが望ましい。中古の靴へ取り付けるときは、かかと面をカンナ等で削り、平にすることで接続部分、継ぎ目に隙間が生じなく見た目にも良い。そして固定かかとを靴かかとに合わせ、全部の貫通小穴からキリを入れて２〜３回転し靴かかとへ深さ、約５．６ｍｍくらいの小穴傷痕跡を付ける。そうすることでネジは入り易くなる。前側の２本の凹穴から先の尖ったネジを入れ締め、回転かかとの突起を固定かかとへ嵌め込み、図１のようにネジ４本以上で取り付ける。悪路で履くことが多いときは全数の凹穴を使用して取り付けるのがよい。もし、使用していない凹穴は滑り止めとして活用すればよい。
【手続補正６】
【補正対象書類名】明細書
【補正対象項目名】００１９
【補正方法】変更
【補正の内容】
【００１９】  回転かかとが全面均一に約１．５ｍｍくらい摩滅して、なおかつ、かかと以外は使用可能であるときは、回転かかとの上側面に厚さ、約１ｍｍくらいのゴム板、又は厚紙等のライナーを入れる。この場合は、入れるライナー等の中心を５円玉のように小穴を開け、外径は突起の内側までの大きさとするのがよい。
【手続補正７】
【補正対象書類名】明細書
【補正対象項目名】００２０
【補正方法】変更
【補正の内容】
【００２０】  回転かかとを締めるネジが何らかの理由で紛失、又は不足し、１本だけのときは中心の凹穴を使用し、応急処置としてネジ締め後の凹穴にガム等を塗り込むなどネジが弛まないよう対策を講じ、ときどき異常の有無を点検確認すると共に、ネジの早期入手に努め、少なくとも３本以上で取り付けるのが望ましい。
【手続補正８】
【補正対象書類名】明細書
【補正対象項目名】００２３
【補正方法】変更
【補正の内容】
【００２３】
【図１】  回転かかとと固定かかとを組み、靴かかとへ取り付けたネジ締め状態の１例斜視図である。
【図２】  回転かかとと固定かかとを組み合わせた側面図である。
【図３】  固定かかとの下面図である。
【図４】  回転かかとの上面図である。
【手続補正９】
【補正対象書類名】明細書
【補正対象項目名】００２４
【補正方法】変更
【補正の内容】
【００２４】  １  回転かかと
２  固定かかと
３  靴かかと
４  凹穴
５  貫通小穴
６  ネジ
７  突起
【手続補正１０】
【補正対象書類名】図面
【補正対象項目名】全図
【補正方法】変更
【補正の内容】
【図１】
0003101098.tif 000011
【図２】
0003101098.tif 000012
【図３】
0003101098.tif 000013
【図４】
0003101098.tif 000014